(57)【要約】      （修正有）【課題】何らかの不具合により合算値情報が変化したことを発見して迅速に対応できるようにすること。【解決手段】遊技媒体を貸与する遊技媒体貸与処理手段３２８と、１単位の遊技用価値に相当する金額と、消費税額との合算値を設定および記憶する合算値情報記憶手段３２８ｂと、遊技媒体を貸与に使用された消費金額を減算更新する遊技用価値減算更新手段３２８、１０２と、該減算された消費金額を集計する消費金額集計手段１０２と、該集計された集計消費金額を送信する集計消費金額送信手段１０２、１１１と、合算値設定情報を設定する設定手段１４２と、合算値設定情報送信手段１４２、１４８と、前記集計消費金額を合算値により除した剰余を算出する剰余算出手段１４２と、該剰余が０であるか否かを判定する判定手段１４２と、該判定結果を出力する出力手段１４２、１４６と、を備える。【選択図】図１３
2005198845.tif 000002
【特許請求の範囲】
【請求項１】
遊技場内に、
遊技媒体の貸与に使用される遊技用価値の大きさを特定可能な遊技用価値情報が記録された遊技用記録媒体の該遊技用価値情報から特定される遊技用価値の大きさの範囲内の所定の大きさの遊技用価値に相当する数の遊技媒体を、１単位の遊技用価値に対応する数の遊技媒体を貸与するための処理を繰り返すことにより貸与する遊技媒体貸与処理を行う遊技媒体貸与処理手段と、
前記１単位の遊技用価値に相当する金額と、該１単位の遊技用価値に相当する金額に対応する消費税額との合算値を特定可能な合算値情報の設定および記憶を行うための合算値情報記憶手段と、
該合算値情報記憶手段に記憶された合算値情報に基づいて、前記遊技媒体貸与処理に供される所定の大きさの遊技用価値に相当する利用額と当該利用額に対応する消費税額との合計額である消費金額に相当する遊技用価値の大きさを、前記遊技用価値情報から特定される遊技用価値の大きさから減算更新する遊技用価値減算更新手段と、
該遊技用価値減算更新手段にて減算された消費金額を集計する消費金額集計手段と、
該消費金額集計手段にて集計された集計消費金額を送信する集計消費金額送信手段と、
を備えるとともに、
前記遊技用記録媒体に関する情報を管理する遊技場外の管理機関に、
前記合算値情報記憶手段が前記合算値情報を設定するための合算値設定情報を設定する設定手段と、
該設定手段にて設定された合算値設定情報を前記合算値情報記憶手段に送信するための合算値設定情報送信手段と、
前記合算値設定情報に基づいて、前記集計消費金額送信手段から送信される集計消費金額を前記合算値により除することによる剰余を算出する剰余算出手段と、
該剰余算出手段による剰余が０であるか否かを判定する判定手段と、
該判定手段による判定結果を出力する出力手段と、
を備えることを特徴とする遊技用管理システム。
【請求項２】
遊技場内に設置される各遊技機に対応して設けられ、前記遊技媒体貸与処理手段と、前記合算値情報記憶手段と、遊技用価値減算更新手段とを備える遊技用装置を有し、
前記消費金額集計手段は各遊技用装置毎に消費金額を集計し、
前記集計消費金額送信手段は、該遊技用装置毎に集計された集計消費金額を送信し、
前記剰余算出手段は、該集計消費金額送信手段から送信される各遊技用装置毎の集計消費金額に基づいて各遊技用装置毎に剰余を算出し、
前記判定手段は、各遊技用装置毎に剰余が０であるか否かを判定し、
前記出力手段は、該判定手段による各遊技用装置毎の判定結果を出力することを特徴とする請求項１に記載の遊技用管理システム。
【請求項３】
遊技場内に設けられ、前記遊技媒体貸与処理にて実際に遊技者に貸与された遊技媒体数を特定可能な貸与遊技媒体数情報を収集するための貸与遊技媒体数情報収集手段と、該貸与遊技媒体数情報収集手段にて収集した実際に遊技者に貸与された遊技媒体数である総貸与遊技媒体数を集計する遊技媒体数集計手段と、該遊技媒体数集計手段にて集計された総貸与遊技媒体数を送信する総貸与遊技媒体数送信手段と、を備えるとともに、
遊技場外の前記管理機関に設けられ、前記総貸与遊技媒体数送信手段から送信される総貸与遊技媒体数と前記合算値とに基づいて、総貸与遊技媒体数の貸与に使用されるべき基準消費金額を算出する基準消費金額算出手段と、該基準消費金額算出手段にて算出された基準消費金額と前記集計消費金額送信手段から送信された集計消費金額との差を算出する差金額算出手段と、該差金額算出手段にて算出された前記基準消費金額と前記集計消費金額との差を出力する差金額出力手段と、を備えることを特徴とする請求項１または２に記載の遊技用管理システム。
【請求項４】
遊技場外の前記管理機関に設けられ、前記判定手段により剰余が０でないと判定されたときに、前記設定手段にて設定された合算値設定情報を再度、前記合算値情報記憶手段に送信する合算値設定情報再送信手段を備えることを特徴とする請求項１〜３のいずれかに記載の遊技用管理システム。
【請求項５】
前記判定手段は、前記合算値設定情報再送信手段による合算値設定情報の送信後、予め定められた時期に再度判定を実施することを特徴とする請求項４に記載の遊技用管理システム。
【発明の詳細な説明】
【技術分野】
【０００１】
本発明は、遊技場において遊技媒体の貸与（貸し出し）に使用された遊技用価値の大きさである使用度数に相当する使用金額と、該使用金額に対応する消費税とを含む消費金額に相当する度数を遊技用記録媒体であるプリペイドカードや会員カードから減算する際に、これら減算に使用される１単位の遊技用価値に相当する金額と、該１単位の遊技用価値に相当する金額に対応する消費税額との合算値を、遊技場外のカード管理会社から設定、管理することのできる遊技用管理システムに関する。
【背景技術】
【０００２】
従来、遊技媒体の貸与（貸し出し）に使用された遊技用価値（有価価値）の大きさ、例えば使用金額に応じた消費税を含む消費金額を、遊技用記録媒体であるプリペイドカードの残額から減算して消費税を徴収するものとしては、カード式遊技機に付設された制御装置と接続されたＤＩＰスイッチにおいて、消費税率と遊技媒体である遊技球１球当たりの貸出金額とを設定し、プリペイドカードに残存する遊技用価値（有価価値）の大きさである残存金額から、貸出玉数に相当する貸出金額と消費税額とを減算するものがある。（例えば、特許文献１参照）。
【０００３】
また、これら消費税を考慮したシステムとして、カード管理会社等に設置された外部管理装置（カード会社コンピュータ）にて１単位の遊技媒体の払出個数（単位遊技媒体貸与数）を設定することで、該設定された１単位の遊技媒体の払出個数（単位遊技媒体貸与数）のデータが、インターネット並びに遊技場に設置された遊技媒体管理装置（Ｔボックス）を介して遊技媒体記録読取装置に送信されて記憶され、遊技者による貸与操作（貸出操作）が実施されると、該遊技媒体記録読取装置に記憶された１単位の遊技媒体の払出個数（単位遊技媒体貸与数）に基づいて、貸与（貸し出し）される遊技媒体数が決定されて貸与（貸し出し）されるものがある。（例えば、特許文献２参照）。
【０００４】
【特許文献１】特開平１１−７０２６４号公報（第４頁、第３図）
【特許文献２】特開２００２−２９２１０１号公報（第４頁、第４図）
【発明の開示】
【発明が解決しようとする課題】
【０００５】
しかしながら、特許文献１のシステムにあっては、遊技場内に設けられたカード式遊技機において消費税率を設定するものであることから、ホールの従業員や遊技者により不正に設定を変えられてしまう畏れがあるため、これら特許文献１のように貸出金額と消費税額との合計額である消費金額を減算するシステムにあっても、特許文献２に示すシステムのように、消費税率等をカード管理会社側にて設定することが望ましいが、これら特許文献１の方式に特許文献２に示すシステムを適用した場合、つまりは、消費税率等をカード管理会社側にて設定するようにした場合には、カード管理会社側にて設定された消費税率等の設定内容が、設定変更を行ったとき、或いは遊技場側からの配信要求があったときに各遊技場に送信されて設定が実施されるようになるため、これら設定内容の送信後において、何らかの不具合、例えば、装置の故障や、データの消失、或いは設定内容の不正な書き換えにより、これら設定内容が変化すると、当該変化した設定内容である消費税率等に基づいた消費金額の減算が継続して実施され、遊技客または遊技場に不利益が生じるという問題があった。
【０００６】
本発明は、このような問題点に着目してなされたもので、消費税率等をカード管理会社側から設定した後において、何らかの不具合により設定内容が変化したことを発見して迅速に対応することで、遊技客または遊技場に不利益が発生することを極力防止することのできる遊技用管理システムを提供することを目的とする。
【課題を解決するための手段】
【０００７】
上記課題を解決するために、本発明の請求項１に記載の遊技用管理システムは、
遊技場内に、
遊技媒体の貸与に使用される遊技用価値の大きさを特定可能な遊技用価値情報が記録された遊技用記録媒体の該遊技用価値情報から特定される遊技用価値の大きさの範囲内の所定の大きさの遊技用価値に相当する数の遊技媒体を、１単位の遊技用価値に対応する数の遊技媒体を貸与するための処理を繰り返すことにより貸与する遊技媒体貸与処理を行う遊技媒体貸与処理手段と、
前記１単位の遊技用価値に相当する金額と、該１単位の遊技用価値に相当する金額に対応する消費税額との合算値を特定可能な合算値情報の設定および記憶を行うための合算値情報記憶手段と、
該合算値情報記憶手段に記憶された合算値情報に基づいて、前記遊技媒体貸与処理に供される所定の大きさの遊技用価値に相当する利用額と当該利用額に対応する消費税額との合計額である消費金額に相当する遊技用価値の大きさを、前記遊技用価値情報から特定される遊技用価値の大きさから減算更新する遊技用価値減算更新手段と、
該遊技用価値減算更新手段にて減算された消費金額を集計する消費金額集計手段と、
該消費金額集計手段にて集計された集計消費金額を送信する集計消費金額送信手段と、
を備えるとともに、
前記遊技用記録媒体に関する情報を管理する遊技場外の管理機関に、
前記合算値情報記憶手段が前記合算値情報を設定するための合算値設定情報を設定する設定手段と、
該設定手段にて設定された合算値設定情報を前記合算値情報記憶手段に送信するための合算値設定情報送信手段と、
前記合算値設定情報に基づいて、前記集計消費金額送信手段から送信される集計消費金額を前記合算値により除することによる剰余を算出する剰余算出手段と、
該剰余算出手段による剰余が０であるか否かを判定する判定手段と、
該判定手段による判定結果を出力する出力手段と、
を備えることを特徴としている。
この特徴によれば、遊技場外の管理機関に設けられた前記合算値設定情報送信手段から送信される合算値設定情報の受信に基づいて、遊技場内に設けられた前記合算値情報記憶手段に設定および記憶された合算値情報が、当該合算値設定情報の送信後において、何らかの不具合によって変化しているか否かを、遊技場外の管理機関側において、剰余算出手段による剰余が０であるか否かを判定することで簡便に判定でき、これら合算値情報の変化に迅速に対応することで、遊技客または遊技場に不利益が発生することを極力防止することができる。
【０００８】
本発明の請求項２に記載の遊技用管理システムは、請求項１に記載の遊技用管理システムであって、
遊技場内に設置される各遊技機に対応して設けられ、前記遊技媒体貸与処理手段と、前記合算値情報記憶手段と、遊技用価値減算更新手段とを備える遊技用装置を有し、
前記消費金額集計手段は各遊技用装置毎に消費金額を集計し、
前記集計消費金額送信手段は、該遊技用装置毎に集計された集計消費金額を送信し、
前記剰余算出手段は、該集計消費金額送信手段から送信される各遊技用装置毎の集計消費金額に基づいて各遊技用装置毎に剰余を算出し、
前記判定手段は、各遊技用装置毎に剰余が０であるか否かを判定し、
前記出力手段は、該判定手段による各遊技用装置毎の判定結果を出力することを特徴としている。
この特徴によれば、各遊技用装置毎に前記判定が実施され、該各遊技用装置毎の判定結果が出力されることで、前記合算値情報記憶手段に記憶されている合算値情報が変化している遊技用装置を簡便に特定できるようになり、より迅速に対応できる。
【０００９】
本発明の請求項３に記載の遊技用管理システムは、請求項１または２に記載の遊技用管理システムであって、
遊技場内に設けられ、前記遊技媒体貸与処理にて実際に遊技者に貸与された遊技媒体数を特定可能な貸与遊技媒体数情報を収集するための貸与遊技媒体数情報収集手段と、該貸与遊技媒体数情報収集手段にて収集した実際に遊技者に貸与された遊技媒体数である総貸与遊技媒体数を集計する遊技媒体数集計手段と、該遊技媒体数集計手段にて集計された総貸与遊技媒体数を送信する総貸与遊技媒体数送信手段と、を備えるとともに、
遊技場外の前記管理機関に設けられ、前記総貸与遊技媒体数送信手段から送信される総貸与遊技媒体数と前記合算値とに基づいて、総貸与遊技媒体数の貸与に使用されるべき基準消費金額を算出する基準消費金額算出手段と、該基準消費金額算出手段にて算出された基準消費金額と前記集計消費金額送信手段から送信された集計消費金額との差を算出する差金額算出手段と、該差金額算出手段にて算出された前記基準消費金額と前記集計消費金額との差を出力する差金額出力手段と、を備えることを特徴としている。
この特徴によれば、前記基準消費金額と前記集計消費金額との差から、実際に減算された集計消費金額の過不足を、簡便に把握することができる。
【００１０】
本発明の請求項４に記載の遊技用管理システムは、請求項１〜３のいずれかに記載の遊技用管理システムであって、
遊技場外の前記管理機関に設けられ、前記判定手段により剰余が０でないと判定されたときに、前記設定手段にて設定された合算値設定情報を再度、前記合算値情報記憶手段に送信する合算値設定情報再送信手段を備えることを特徴としている。
この特徴によれば、前記判定手段により剰余が０でないと判定されたことに基づいて、前記設定手段にて設定された合算値設定情報が再送信されて、合算値情報の設定および記憶が合算値情報記憶手段にて実施されるようになるため、本来の合算値情報から変化している合算値情報の修復を、簡便かつ確実に実施することができる。
【００１１】
本発明の請求項５に記載の遊技用管理システムは、請求項４に記載の遊技用管理システムであって、
前記判定手段は、前記合算値設定情報再送信手段による合算値設定情報の送信後、予め定められた時期に再度判定を実施することを特徴としている。
この特徴によれば、合算値設定情報再送信手段からの合算値設定情報の送信による合算値情報の再設定により不具合が解消されているか否かを確認でき、該再設定しても不具合が解消されない場合には、再設定以外の別の対策を取ることができる。
【発明を実施するための最良の形態】
【００１２】
本発明の実施例を以下に説明する。
【実施例１】
【００１３】
本実施例１は請求項２に対応するものであり、図１は本実施例１の遊技用管理システムの構成を示す図であり、この遊技用管理システムは、遊技場において複数配置された遊技島に並設される遊技機としてのカードリーダ式パチンコ機（以下パチンコ機）２に対して１対１に設置される本発明の遊技用装置としてのカードユニット３と、当該遊技場内に設置され、カードユニット３において使用される遊技用記録媒体であるプリペイド機能を備える会員カードやプリペイドカードとしてのビジターカードの管理等を行うシステムコントローラ１００と、ビジターカードの発行を行うカード発行機２３と、会員カードやビジターカードに残存する遊技用価値である残存金額の精算を行う精算装置２２と、遊技場外のカード管理会社に設置され、各遊技場において使用される会員カードやビジターカードに関する情報を管理する管理サーバ１４０と、から主に構成されている。尚、図１に示す１２０は、当該遊技場において会員登録した会員である各会員遊技者に関する情報を管理するための会員管理コンピュータである。
【００１４】
各カードユニット３、並びに精算装置２２やカード発行機２３は、システムコントローラ１００並びに会員管理コンピュータ１２０とハブ（ＨＵＢ）８’（図４参照）並びに通信ケーブル８を介して双方向のデータ通信可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されている各機器には、ローカルＩＰアドレスが付与されているとともに、当該機器を個々に識別可能な装置ＩＤが付与されており、各機器が装置ＩＤとローカルＩＰアドレスとが対応付けられたＩＰアドレステーブルを当該ＬＡＮに接続された各装置が有することで、装置ＩＤからローカルＩＰアドレスを特定して、当該装置ＩＤの装置との送受信を実施できるようになっており、システムコントローラ１００と会員管理コンピュータ１２０との間においても、当該ローカルエリアネットワーク（ＬＡＮ）を介して相互にデータ通信可能とされている。
【００１５】
これら本実施例に用いたカード発行機２３においてはビジターカードの発行が可能とされており、精算装置２２においては、５円単位での精算が可能とされていて、会員カードやビジターカードに残存する残存金額が、例えば、後述する１単位の消費金額である１０５円未満の金額となっても、これら残存金額を精算装置２２において精算できるようになっている。
【００１６】
また、システムコントローラ１００は通信回線１１を介してカード管理会社に設置された管理サーバ１４０と相互にデータ通信可能に接続されており、システムコントローラ１００にて収集、管理されている当該遊技場の各カードユニット３にて使用された遊技用価値である使用金額や入金等の情報、各カードユニット３における総消費金額や実際に遊技者に貸し出されたパチンコ玉数である実貸出玉数等の集計結果等の各種情報が、売上等の営業情報とともに管理サーバ１４０に送信されるとともに、管理サーバ１４０からの運用情報や、１単位に相当する金額である１００円と該１単位の金額に対応する消費税額である５円との合算値となる１０５円を特定可能な合算値情報をカードユニット３のＲＡＭ３２８ｂに設定および記憶させるための合算値設定情報がシステムコントローラ１００を通じて各カードユニット３に送信されるようになっている。
【００１７】
初めに、本実施例にて用いた遊技用記録媒体について説明すると、本実施例では予め会員登録をした会員遊技者に対して発行されるプリペイド機能を備える会員カードと、プリペイドカードであるビジターカードとの２種類のＩＣカードを遊技用記録媒体として使用している。
【００１８】
まず、本発明の会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや、カードユニット３とシステムコントローラ１００との通信がオフライン状態の場合に使用されるセキュリティー情報等が書き換え不可に記録され、パチンコ玉の貸し出し（貸与）に使用可能な残存金額等の情報が書き換え可能に記憶されているとともに、その一面には、磁気ストライプが貼設されていて、該磁気ストライプに各会員を個々に識別可能な会員ＩＤが記録されている。
【００１９】
また、本実施例に用いたビジターカードも、前記会員カードと同一とされた非接触式ＩＣカードが適用されており、その内部メモリには、各ビジターカードを個別に識別可能なカードＩＤや、カードユニット３とシステムコントローラ１００との通信がオフライン状態の場合に使用されるセキュリティー情報等が書き換え不可に記録され、パチンコ玉の貸し出し（貸与）に使用可能な残存金額等の情報が書き換え可能に記憶されているが、会員カードのように会員ＩＤを記録するための磁気ストライプを有しない構成とされている。
【００２０】
次いで、本発明における遊技用装置としてのカードユニット３について説明すると、カードユニット３は、対応するパチンコ機２と直接、及び中継端末４を介して接続されており、カードユニット３と対応するパチンコ機２との間で各種信号の送受が可能とされているとともに、対応するパチンコ機２等から出力される各種遊技情報を示す信号や、当該パチンコ機から１単位に相当する２５球のパチンコ玉を貸し出す（貸与する）毎に１パルスが出力される貸出玉数信号や、パチンコ機２に供給されるパチンコ玉数を計数するための供給玉計数器６から出力される供給玉信号や、パチンコ機２から排出されるパチンコ玉数を計数するためのアウト玉計数器７から出力されるアウト玉信号が、中継端末４を介して対応するカードユニット３に入力され、これらカードユニット３に入力される各種信号に関する情報が、後述する入力信号情報としてシステムコントローラ１００に送信されるようになっている。
【００２１】
この本実施例のカードユニット３の前面には、図２に示すように、各種表示部と紙幣挿入口３０２、硬貨投入口３０３、硬貨返却ボタン３０４、突出部３０５、硬貨返却口３０８、カード挿入口３０９が設けられている。
【００２２】
カードユニット３の前面に設けられたカード挿入口３０９は、内蔵されるカードリーダライタ３２７（図４参照）のカードスロット（図示略）に連設されており、このカード挿入口３０９を介して会員カード並びにビジターカードをカードスロットに挿入可能とされている。
【００２３】
カードユニット３の前面には、前方に突出する態様にて突出部３０５が設けられている。該突出部３０５において、遊技者側に向けられた面には、表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられており、該表示部３１２の表面には、表示部３１２に表示された表示項目を指触により入力可能とするためのタッチパネル３１４が設けられている。
【００２４】
図４は、本実施例のカードユニット３の構成を示すブロック図である。カードユニット３は、カードリーダライタ３２７と、表示制御基板３２９と、遊技媒体貸与処理手段、使用遊技用価値情報送信手段を構成する制御ユニット３２８と、から主に構成されており、カードリーダライタ３２７及び表示制御基板３２９は、制御ユニット３２８と接続され、各種データの送受が可能とされている。
【００２５】
カードリーダライタ３２７は、会員カードやビジターカードに記録されているカードＩＤや会員ＩＤ（会員カードのみ）、並びに残存金額等の記録情報の読み取り並びに書き込みを行うとともに、ＨＵＢ８’を介してシステムコントローラ１００とデータ通信可能に接続されており、挿入された会員カード並びにビジターカードに記録されたカードＩＤによる認証や残存金額の確認等をシステムコントローラ１００との間で行う。
【００２６】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２７】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２８】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００２９】
制御ユニット３２８には、表示制御基板３２９を介して接続されたスイッチや表示器等の電子部品に加えて、紙幣識別ユニット３２１、硬貨識別ユニット３２２が接続されている。
【００３０】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３１】
また、制御ユニット３２８には、図３並びに図４に示すように、接続されたパチンコ機２に設けられ、受付け中の会員カードまたはビジターカードの残存金額に相当するパチンコ玉の貸し出し（貸与）に使用できる度数を表示する度数表示器１７や、パチンコ玉の貸し出し（貸与）を行う際に操作される貸出ボタン１６の操作を検知する貸出ボタンスイッチ１６aや、受付け中の会員カードを返却させる際に操作される返却ボタン１５の操作を検知する返却ボタンスイッチ１５ａが接続されている。
【００３２】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示制御基板３２９の制御、度数表示器１７の表示制御等、全体の動作制御、並びに遊技媒体貸与処理としての後述する玉貸処理や、払戻処理等の各種処理を実行する。
【００３３】
また、制御ユニット３２８は、対応するパチンコ機２の図示しない賞球数制御基板と接続されており、該賞球数制御基板との間において玉貸処理に伴う各種信号の送受が実施可能とされているとともに、通信部３３４並びにＨＵＢ８’を介して会員管理コンピュータ１２０とデータ通信可能に接続されており、各種データの送受が可能とされている。
【００３４】
また、制御ユニット３２８は、システムコントローラ１００から送信される合算値設定情報の受信に基づいて、該受信した合算値設定情報に基づく合算値情報を該制御ユニット３２８に設けられている合算値情報記憶手段としてのＲＡＭ３２８ｂ（図４参照）に設定して記憶する合算値情報記憶（更新）処理を実施する。
【００３５】
また、制御ユニット３２８は、当該カードユニット３の装置ＩＤとともに、対応するパチンコ機２から実際に貸し出し（貸与）たパチンコ玉数が２５玉に達する毎に中継端末４を介して入力される貸出玉数信号や、供給玉数信号並びにアウト玉数信号や、遊技情報の各種信号の入力状況（貸出玉数信号や供給玉数信号並びにアウト玉数信号は入力信号数の値）を特定可能な情報とを含む入力信号情報をシステムコントローラ１００に送信する入力信号情報送信処理を実施する。
【００３６】
また、制御ユニット３２８は、カード挿入口３０９に挿入された会員カード並びにビジターカードに対してシステムコントローラ１００と連携して利用の可／不可を判別する受付処理を行う。
【００３７】
また、制御ユニット３２８は、該受付処理において利用の可と判定された会員カードまたはビジターカードより読み出された残存金額が消費税を含む貸し出し（貸与）の１単位に相当する消費金額（１０５円）以上存在する場合、つまりはパチンコ玉の貸し出し（貸与）に使用できる度数が存在する場合であって、前記貸出ボタン１６の操作が検出された場合に、カードリーダライタ３２７にて受付けた会員カードまたはビジターカードより読み出された残存金額に相当する度数の大きさの範囲内であり、その時点において貸出単位に設定されている度数に相当する数のパチンコ玉を、１単位に対応するパチンコ玉数（２５玉）を貸与するための処理を、貸出単位に設定されている度数分だけ繰り返すことにより貸与する遊技媒体貸与処理となる貸出処理を行う。
【００３８】
また、制御ユニット３２８は、該貸出処理に供された使用度数に相当する使用金額と、当該使用金額に相当する消費税額とを、前記ＲＡＭ３２８ｂに記憶されている合算値情報から特定される合算値に基づいて算出するとともに、該使用金額と消費税額との合計金額である消費金額を、会員カードまたはビジターカードに残存する残存金額から減算更新する残存金額減算更新処理を実施し、該残存金額減算更新処理によって本発明における遊技用価値減算更新手段が形成されている。
【００３９】
また、制御ユニット３２８は、前記貸出処理に供された使用金額と消費税額と装置ＩＤと受付け中の会員カードまたはビジターカードのカードＩＤとを含む貸出完了情報をシステムコントローラ１００に送信する貸出完了情報送信処理を実施する。
【００４０】
また、制御ユニット３２８は、会員カードまたはビジターカードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額を、受付け中の会員カードまたはビジターカードに残存する残存金額に加算するための追加入金処理を行う。
【００４１】
また、制御ユニット３２８は、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００４２】
また、制御ユニット３２８は、前記返却ボタン１５が遊技者により操作された場合に、受付け中の会員カードまたはビジターカードの返却を実施する返却処理を行う。
【００４３】
ここで、本発明におけるシステムコントローラ１００の構成について図５に基づいて説明すると、該システムコントローラ１００は、コンピュータ内部にてデータの送受を行うデータバス１０１に、後述する記憶装置１０５に記憶されている処理プログラムに基づいて、後述するカードマスターテーブルやカードユニット別データテーブルの更新処理や、該カードマスターテーブルに登録データに基づいてカードユニット３にて受付けた会員カードやビジターカードの使用可否の判定処理や、各カードユニット３毎の総消費金額や実貸出玉数の集計等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０や前記カードユニット３（カードリーダライタ３２７）とのデータ通信を行う通信部１０９、前記カード会社に設けられた管理サーバ１４０と電話回線１１を通じてデータ通信を可能とするためのデジタルサービスユニット（ＤＳＵ）１１１が接続された通常のコンピュータである。
【００４４】
また、前記記憶装置１０５には、該システムコントローラ１００の処理を実施するための処理プログラムに加えて、図６（ａ）に示すカードマスターテーブルや図６（ｂ）に示すカードユニット別データテーブルを含むカード管理データベース（ＤＢ）が記憶されている。
【００４５】
本実施例に用いたカードマスターテーブルには、図６（ａ）に示すように、会員カード並びにビジターカードのカードＩＤに対応付けて、会員ＩＤ（会員カードのみ）が記憶される会員ＩＤの項目と、前記追加入金のための貨幣の受付け、或いはビジターカードの発行、或いは精算が実施されたカードユニット３または発行装置２３または精算装置２２の装置ＩＤが記憶される処理装置の項目と、追加入金処理に供された入金金額が記憶される入金金額の項目と、追加入金処理の実施に際して各カードに残存していて繰り越しされた金額が記憶される繰り越し金額の項目と、前記発行装置２３にて当該ビジターカードの発行に供された金額が記憶される発行金額の項目と、実際に遊技に使用された使用金額が記憶される使用金額の項目と、当該使用金額に相当する消費税額が記憶される消費税額の項目と、使用金額と消費税額の合計金額である消費金額が記憶される消費金額の項目と、各カードに未だ貸出処理に使用されずに残存している残存金額が記憶される残存金額の項目と、当該残存金額に対応する残存度数が記憶される残存度数の項目と、そのカードが前記カード会社の管理サーバ１４０から配信される運用情報に含まれるブラックリスト或いはあみかけリストに基づき、その会員カードまたはビジターカードが使用不可であるかを示す使用不可情報が記憶される使用不可の項目とが設けられており、これらカードマスターテーブルに登録されている残存金額と各会員カードまたはビジターカードに記録されている残存金額とが一致するように管理されるとともに、これら残存金額を照合することで各会員カード並びにビジターカードの使用可否の判定が実施される。
【００４６】
本実施例に用いたカードユニット別データテーブルには、図６（ｂ）に示すように、前記カードユニット３の装置ＩＤに対応付けて、当該カードユニット３が設置されている遊技島の島番号が記憶される設置島の項目と、その通信状況（通信中かオフラインか）が記憶される状況の項目と、対応するパチンコ機２の機種名が記憶される対応機種の項目と、受付け中の会員カードまたはビジターカードのカードＩＤが記憶される受付けカードＩＤの項目と、当該カードユニット３にてビジターカードから貸出処理に使用された使用金額が加算更新記憶されるＶ（ビジター）カード使用金額の項目と、当該カードユニット３にて会員カードから貸出処理に使用された使用金額が加算更新記憶される会員カード使用金額の項目と、Ｖカード使用金額と会員カード使用金額との合計金額が記憶される総使用金額の項目と、当該カードユニット３から送信される前記貸出完了情報に含まれる消費税額が加算更新記憶されることで当該総使用金額に相当する消費税額が記憶される総消費税額の項目と、総使用金額と総消費税額との合計金額である総消費金額が記憶される総消費金額の項目と、各カードユニット３から送信される前記入力信号情報に基づく実貸出玉数が記憶される実貸出玉数の項目とが設けられており、これらカードユニット別データテーブルにおける各種データは、前記カードユニット３から貸出処理の都度毎に送信される貸出完了情報（図７参照）や、前記入力信号情報に基づき更新されるようになっている。
【００４７】
また、本実施例のシステムコントローラ１００のＣＰＵ１０２は、前記管理サーバ１４０から合算値設定情報の送信があった場合に、当該合算値設定情報を各カードユニット３に送信する合算値設定情報の中継処理を実施する。
【００４８】
また、本実施例のシステムコントローラ１００のＣＰＵ１０２は、前記カードユニット３から貸出処理の都度毎に送信される貸出完了情報（図７参照）の受信に基づいて、当該貸出完了情報に含まれるカードＩＤから当該貸出処理に使用された会員カードまたはビジターカードを特定し、該カードＩＤに対応付けてカードマスターテーブルに記憶されている使用金額に、当該受信した貸出完了情報に含まれる使用金額を加算更新記憶するとともに、該カードＩＤに対応付けてカードマスターテーブルに記憶されている消費税額に、当該受信した貸出完了情報に含まれる消費税額を加算更新記憶し、該消費税額と使用金額との合計金額である消費金額の更新と該消費金額を残存金額から減算更新するとともに、当該減算更新後の新たな残存金額に相当する残存度数を残存度数の項目に更新記憶するカードマスターテーブル更新処理を実施する。つまり、このようにすることで、該合算値情報記憶手段となる前記ＲＡＭ３２８ｂに記憶されている合算値情報から特定される合算値に基づいて、前記遊技媒体貸与処理となる貸出処理に供された利用額となる使用金額と、当該使用金額に相当する消費税額との合計額である消費金額が、会員カードまたはビジターカードに記憶された遊技用価値情報となるカードＩＤから特定される遊技用価値の大きさである残存金額から減算更新され、該カードマスターテーブル更新処理によっても本発明における遊技用価値減算更新手段が形成されている。
【００４９】
また、本実施例のシステムコントローラ１００のＣＰＵ１０２は、前記入力信号情報送信処理においてカードユニット３の制御ユニット３２８から送信される装置ＩＤを含む入力信号情報を受信することで、カードユニット３における貸出処理によって実際に遊技者に貸与されたパチンコ玉数の情報を、カードユニット３毎に収集する収集処理を実施し、該収集処理によって本発明の貸与遊技媒体数情報収集手段が形成されている。
【００５０】
また、本実施例のシステムコントローラ１００のＣＰＵ１０２は、該入力信号情報を受信に基づいて、前記カードユニット別データテーブルにおいて当該入力信号情報に含まれる装置ＩＤに対応付けられた実貸出玉数を更新することで、カードユニット３における貸出処理によって実際に遊技者に貸与されたパチンコ玉数を各カードユニット３毎に集計する集計処理を実施し、該集計処理によって本発明の遊技媒体数集計手段が形成されている。
【００５１】
また、本実施例のシステムコントローラ１００のＣＰＵ１０２は、前記カードユニット３から貸出処理の都度毎に送信される貸出完了情報（図７参照）の受信に基づいて、当該貸出完了情報に含まれる装置ＩＤからカードユニット３を特定し、前記カードユニット別データテーブルにおいて当該装置ＩＤに対応付けて記憶されているＶカード使用金額或いは会員カード使用金額と総使用金額とに、該貸出完了情報に含まれる使用金額を加算更新することで、各カードユニット３毎の総使用金額を集計するとともに、該貸出完了情報に含まれる消費税額を総消費税額に加算更新することで、各カードユニット３毎の総消費税額を集計し、該集計された総使用金額と総消費税額との合計である総消費金額を算出、記憶することで、各カードユニット３における貸出処理に使用されて減算された消費金額を、各カードユニット３毎に集計する消費金額集計処理を実施し、該消費金額集計処理によって本発明における消費金額集計手段が形成されている。
【００５２】
また、本実施例のシステムコントローラ１００のＣＰＵ１０２は、営業終了後の所定時間において、前記カードマスターテーブルにおいて管理している各カードの残存金額等の情報と、カードユニット別データテーブルにおいて集計した集計結果である総消費金額と実貸出玉数とを含む営業情報を管理サーバ１４０に送信する営業情報送信処理を実施し、該営業情報送信処理によって本発明における集計消費金額送信手段が形成されている。
【００５３】
ここで、本実施例におけるカードユニット３とシステムコントローラ１００並びに会員管理コンピュータ１２０の間において、会員カードまたはビジターカードの受付けに伴って実施される各種のデータの授受の状況について、図７に基づいて、簡潔に説明すると、カードユニット３のカード挿入口３０９へ会員カードまたはビジターカードが挿入された場合には、カードリーダライタ３２７が、該挿入された会員カードまたはビジターカードからカードＩＤ、残存金額、会員ＩＤ（会員カードのみ）とを読み出して一時記憶するとともに、カードＩＤ、残存金額、装置ＩＤとを含む使用許諾要求を前記システムコントローラ１００へ送信する。
【００５４】
システムコントローラ１００は、使用許諾要求の受信に基づき、受信したカードＩＤに対応してカードマスターテーブルに記憶されている残存金額の照合や使用不可フラグの登録の有無に基づく認証を実施し、認証がＯＫであれば使用許諾をカードユニット３（カードリーダライタ３２７）に返信する使用可否の判定処理を実施する。
【００５５】
前記カードユニット３（カードリーダライタ３２７）が使用許諾を受信した場合には、挿入された会員カードまたはビジターカードを使用可能とし、前記読み出した会員ＩＤ（会員カードのみ）と残存金額とを制御ユニット３２８に出力することで、制御ユニット３２８は、会員ＩＤが出力されてきた場合において会員管理コンピュータ１２０に対して当該会員ＩＤと装置ＩＤとを含む会員カード受付け通知を通信部３３４より送信する。
【００５６】
該会員カード受付け通知の送信を受けて会員管理コンピュータ１２０は、送信されてきた会員ＩＤが、会員管理コンピュータ１２０に記憶されている図示しない会員情報テーブルに存在するか否かを判定し、存在する場合においては、当該会員ＩＤに対応するポイントに１００ポイントを加算更新した後、会員カード取込応答（図示略）を返信する。
【００５７】
受付けたカードが会員カードである場合には該会員カード取込応答の受信に基づいて、受付けたカードがビジターカードである場合（会員ＩＤの出力がない場合）には残存金額の出力に基づいて、制御ユニット３２８は、カードリーダライタ３２７から出力された残存金額に対応する残存度数、例えば残存金額が１０２５円であれば該１０２５円を１単位となる使用金額である１００円にて除した値の少数点未満を切り捨てた値である１０度数を表示部３１２並びにパチンコ機２に設けられた度数表示部１７に表示し、該度数表示部の近傍に設けられた貸出ボタン１６の押圧操作待ちとなる。尚、会員カード排出応答を受信した場合には、制御ユニット３２８は、前記にて受付けた会員カードをカード挿入口３０９から排出、返却する。
【００５８】
この操作待ち段階において、遊技者が前記貸出ボタン１６を押圧操作した場合においては、前記制御ユニット３２８が、残存金額が１単位の消費金額である１０５円以上であるかを判定した後、１０５円以上である場合において、前記パチンコ機２より出力される貸出可能を示す信号の有無を判定し、貸出可能の信号出力がある場合において、１単位となる１度数に対応する数（２５玉）のパチンコ玉の払出を指示するための信号を、貸出単位として設定されている度数の大きさ、例えば５となるまで繰返し出力する前記貸出処理を実施する。具体的には、制御ユニット３２８は、１単位に対応する玉数である２５玉の払出指示をパチンコ機２に出力し、該１単位の払出指示を貸出単位、例えば５度数であれば５回繰返し実施する。
【００５９】
これら払出指示の信号の出力回数が貸出単位として設定されている度数の大きさに対応する回数に達した場合には、制御ユニット３２８が、貸出単位として設定されている度数（使用度数）に相当する使用金額と、当該使用金額に相当する消費税額とを、前記ＲＡＭ３２８ｂに記憶されている合算値情報から特定される合算値に基づいて算出するとともに、該使用金額と消費税額との合計金額である消費金額を、ＲＡＭ３２８ｂに記憶している残存金額から減算更新して、該新たな残存金額に対応する度数に表示部３１２並びに度数表示部１７の表示を更新するとともに、該算出した使用金額と消費税額と減算更新後の新たな残存金額とをカードリーダライタ３２７に出力することで、該減算更新後の新たな残存金額が受付け中の会員カードまたはビジターカードに書き込まれて更新されるとともに、カードＩＤと装置ＩＤと使用金額と消費税額とを含む貸出完了情報がシステムコントローラ１００に対して送信され、システムコントローラ１００にて管理されている当該会員カードまたはビジターカードの残存金額から、使用金額と消費税額との合計金額である消費金額が減算更新されるとともに、当該装置ＩＤに対応してカードユニット別データテーブルに記憶されている会員カード使用金額またはＶ（ビジター）カード使用金額並びに総使用金額や総消費税額とに、使用金額や消費税額が加算更新されることに伴いカードユニット別データテーブルにおける総消費金額が更新される。
【００６０】
これら遊技によって前記残存金額が１単位の消費金額である１０５円未満になった場合、つまりは利用可能な度数が０度数になった場合に、本実施例のカードユニット３においては、前記紙幣挿入口３０２、硬貨投入口３０３より紙幣或いは硬貨を投入して、該挿入中の会員カードまたはビジターカードに対して追加入金を実施できるようになっている。
【００６１】
具体的には、前記紙幣挿入口３０２、硬貨投入口３０３より紙幣或いは硬貨を投入することで、紙幣識別ユニット３２１または硬貨識別ユニット３２２から制御ユニット３２８に識別結果情報（金種と真贋の情報）が出力されることで、制御ユニット３２８にて貨幣の投入有りと判断されるとともに、当該投入貨幣の金額が特定され、該特定された金額である入金金額がＲＡＭ３２８ｂに記憶されたその時点の残存金額に加算されて新たな残存金額が算出され、これら特定された入金金額と新たな残存金額が制御ユニット３２８からカードリーダライタ３２７に出力されることで、該カードリーダライタ３２７により受付け中の会員カードまたはビジターカードに該新たな残存金額が書き込まれて更新されるとともに、該入金金額とカードＩＤと装置ＩＤとを含む入金情報が、カードリーダライタ３２７からシステムコントローラ１００に対して送信される。尚、カードリーダライタ３２７において新たな残存金額の書き込みが完了した場合には、該書き込み完了の旨が制御ユニット３２８に出力されることに基づいて、新たな残存金額に相当する度数が表示部３１２並びに度数表示部１７に表示されて再度貸出処理が可能とされる。
【００６２】
そして、該入金情報の受信に基づいてシステムコントローラ１００においては、当該受信した入金情報に含まれるカードＩＤに対応付けてカードマスターテーブルに記憶されている残存金額が繰り越し金額に更新記憶されるとともに、入金情報に含まれる装置ＩＤが処理装置の項目に、入金情報に含まれる入金金額が入金金額の項目にそれぞれ記憶され、残存金額に入金金額と繰り越し金額との合計金額が更新記憶された後、使用金額、消費税額、消費金額がリセットされてカードマスターテーブルが更新される。
【００６３】
次いで、前記カード挿入口３０９に会員カードが挿入された場合に実施可能となる再プレイ処理について説明すると、再プレイを実施する場合には、会員遊技者が前記再プレイスイッチ３１９を押圧操作することで、暗証番号の入力画面が表示部３１２に表示されて暗証番号の受付けが実施されるとともに、該受付けた暗証番号と会員カードから読み出された会員ＩＤと装置ＩＤとを含む貯玉抽出要求が会員管理コンピュータ１２０に送信される。
【００６４】
該貯玉抽出要求の受信に基づいて会員管理コンピュータ１２０は、貯玉抽出要求に含まれる会員ＩＤに対応して前記会員情報テーブルに記憶されている暗証番号と、貯玉抽出要求に含まれる暗証番号とを照合し、該照合において双方の暗証番号が一致した場合において、該会員カードの使用を許容する認証処理を実施し、貯玉抽出要求に含まれる会員ＩＤに対応して登録されている貯蓄玉数を抽出してカードユニット３の制御ユニット３２８に返信する。
【００６５】
該返信に基づいて制御ユニット３２８は、返信されてきた貯蓄玉数に該当する再プレイ回数を算出し、該算出した再プレイ回数と貯蓄玉数とを表示部３１２に表示する。
【００６６】
この段階にて前記再プレイボタン３１９を操作すると、再プレイ回数が存在する場合に前記貸出処理の場合と同様にパチンコ玉の払出（払戻）が対応するパチンコ機２より実施されることで、遊技者は、一度遊技にて獲得した貯蓄玉数を再度遊技に使用することができる。
【００６７】
このパチンコ玉の払出（払戻）が完了した際に制御ユニット３２８は、前記表示部３１２に表示している再プレイ回数から１を減算表示するとともに、該１回の再プレイに対応する貯蓄玉数を表示部３１２に表示している貯蓄玉数から減算表示する。そして、これら払戻した貯蓄玉数である払戻玉数と、会員ＩＤと、カードユニット３の装置ＩＤとを含む払戻完了情報を会員管理コンピュータ１２０に送信する。
【００６８】
この払戻完了情報の受信に基づいて会員管理コンピュータ１２０は、払戻完了情報に含まれる会員ＩＤに対応して会員情報テーブルに記憶されている貯蓄玉数から、払戻完了情報に含まれる払戻玉数を減算更新することで、再プレイ回数が残存する限り、繰返し再プレイを実施できるようになっている。
【００６９】
次いで、本発明における集中管理装置である管理サーバ１４０の構成について説明すると、管理サーバ１４０は、図８に示すように、コンピュータ内部にてデータの送受を行うデータバス１４１に、該管理サーバ１４０が実施する各遊技場にて使用される会員カードやビジターカードに残存する残存金額や使用金額、発行金額や入金金額等の管理を行うための処理や、各遊技場のシステムコントローラ１００に合算値設定情報を送信する合算値設定情報送信処理等の各種処理を行うＣＰＵ１４２、処理時の一時記憶領域等として使用されるＲＡＭ１４３、前記合算値設定情報を設定するための入力情報等を入力するためのキーボードやマウス等の入力装置１４４、磁気ディスクや光磁気ディスクから成る記憶装置１４５、後述する合算値設定画面や、判定結果状況画面や、ブラックリスト画面等を表示出力する表示装置１４６、各遊技場に設置されたシステムコントローラ１００とのデータ通信を行う通信部１４８、が接続された比較的処理能力に優れたサーバ用のコンピュータである。
【００７０】
また、記憶装置１４５には、管理サーバ１４０が実施する処理内容が記述された処理プログラムに加えて、図９（ａ）に示す各遊技場に関する情報を記憶するための遊技場情報テーブルや、図９（ｂ）に示す各遊技場に設置されたカードユニット３における各種のデータを記憶するための遊技場別カードユニットテーブルが記憶されている。
【００７１】
本実施例の遊技場情報テーブルには、図９（ａ）に示すように、各遊技場を個々に識別可能とするための遊技場識別情報である遊技場ＩＤに対応付けて、当該遊技場の遊技場名が記憶される遊技場名の項目や、当該遊技場の所在地が記憶される所在地の項目や、前記合算値設定画面において合算値設定情報を設定するために入力された入力情報から算出される当該遊技場に適用される合算値が記憶される合算値の項目と、前記ＤＳＵ１４８並びに通信回線１１を通じて各遊技場に設置されたシステムコントローラ１００との通信接続を実施するための接続用情報である回線番号が記憶される接続用情報の項目とが設けられており、各遊技場に設置されているカードユニット３に設定されている合算値を特定できるようになっている。
【００７２】
また、本実施例の遊技場別カードユニットテーブルには、図９（ｂ）に示すように、各遊技場の遊技場ＩＤに対応付けて、各遊技場に設置されているカードユニット３の装置ＩＤが記憶されており、これら各装置ＩＤに対応付けて当該カードユニット３の貸出処理に使用された消費金額の集計値である総消費金額が記憶される総消費金額の項目と、当該総消費金額を前記遊技場情報テーブルに当該遊技場の遊技場ＩＤに対応付けて記憶されている合算値で除した剰余が記憶される剰余の項目と、これら剰余が０で有るか否かに基づく良／不良が記憶される判定結果の項目と、実貸出玉数が記憶される実貸出玉数の項目と、該実貸出玉数の貸し出し（貸与）に使用されるべき消費金額である基準消費金額が記憶される基準消費金額の項目と、該基準消費金額と総消費金額との差金額が記憶される差金額の項目と、判定結果が不良であるとの判定結果であるときに次回の判定が再度実施される日時である次回判定日時が記憶される次回判定日時の項目とが設けられており、当該テーブルの総消費金額と実貸出玉数のデータは、各遊技場のシステムコントローラ１００から営業終了後において営業情報とともに送信される集計結果に基づいて更新される。
【００７３】
また、本実施例の管理サーバ１４０のＣＰＵ１４２は、前記表示装置１４６に表示される図１０に示す合算値設定画面において、前記合算値設定情報を設定するための入力情報を受付けて合算値設定情報を設定する合算値設定処理を実施し、該合算値設定処理にて受付けた前記入力情報から算出される合算値を、前記遊技場情報テーブルの合算値設定画面において選択された設定対象に該当する遊技場ＩＤに対応する合算値の項目に記憶するようになっており、該合算値設定処理によって本発明における設定手段が形成されている。
【００７４】
また、本実施例の管理サーバ１４０のＣＰＵ１４２は、該合算値設定処理によって設定された合算値設定情報を、前記システムコントローラ１００を通じて各カードユニット３に送信する合算値設定情報送信処理を実施し、該合算値設定情報送信処理によって本発明における合算値設定情報送信手段が形成されている。
【００７５】
また、本実施例の管理サーバ１４０のＣＰＵ１４２は、前記営業情報送信処理によりシステムコントローラ１００から送信される営業情報に含まれる各カードユニット３毎の総消費金額、並びに該総消費金額の合計である総合計消費金額を、前記合算値設定情報を設定するための入力情報に基づいて算出された前記遊技場情報テーブルに記憶されている当該遊技場の合算値により除することによる剰余を算出する剰余算出処理を実施するとともに、該算出した剰余を遊技場別カードユニットテーブルに更新記憶し、該算出した剰余が０であるか否かに基づいて、当該カードユニット並びに遊技場全体の良否を判定して該判定結果を遊技場別カードユニットテーブルに更新記憶する判定処理を実施し、該剰余算出処理によって本発明における剰余算出手段が形成され、該判定処理によって本発明における判定手段が形成されている。
【００７６】
また、本実施例の管理サーバ１４０のＣＰＵ１４２は、前記営業情報送信処理によりシステムコントローラ１００から送信される営業情報に含まれる各カードユニット３毎の実貸出玉数と、前記遊技場情報テーブルに記憶されている合算値とから、当該実貸出玉数の貸し出し（貸与）に対して減算されるべき消費金額である基準消費金額を各カードユニット３毎に算出する基準消費金額算出処理を実施するとともに、該算出した基準消費金額と総消費金額との差金額を算出する差金額算出処理を実施し、該算出した差金額を前記遊技場別カードユニットテーブルに記憶するようになっており、該基準消費金額算出処理によって本発明における基準消費金額算出手段が形成され、該差金額算出処理によって本発明における差金額算出手段が形成されている。尚、該基準消費金額算出処理における基準消費金額の算出に際しては、具体的には、実貸出玉数に合算値である１０５を１単位にて払い出される玉数である２５で除した値である４.２を乗じた値を基準消費金額とする。
【００７７】
また、本実施例の管理サーバ１４０のＣＰＵ１４２は、前記判定処理における各カードユニット３毎の判定結果並びに遊技場全体の判定結果を、後述する判定結果状況画面（図１１参照）に示すように、当該カードユニット３の装置ＩＤ並びに総消費金額と剰余と実貸出玉数、基準消費金額、差金額とに対応付けて出力する出力処理を実施し、該出力処理によって本発明における出力手段並びに差金額出力手段が形成されている。
【００７８】
また、本実施例の管理サーバ１４０のＣＰＵ１４２は、前記判定処理による判定結果が剰余が０ではないとの判定結果であることを条件に、前記遊技場情報テーブルに記憶されている合算値を特定可能な合算値情報を、当該剰余が０ではないとの判定されたカードユニット３のＲＡＭ３２８ｂに設定および記憶させるための合算値設定情報と、当該０ではないと判定されたカードユニット３の装置ＩＤとを含む再設定情報を、前記システムコントローラ１００を介して当該カードユニット３に送信する再設定情報送信処理を実施し、該再設定情報送信処理によって本発明における合算値設定情報再送信手段が形成されている。
【００７９】
また、本実施例の管理サーバ１４０のＣＰＵ１４２は、前記再設定情報送信処理における合算値設定情報を含む再設定情報の送信後において、予め定められた時期となる、前記合算値設定画面（図１０参照）における再設定後の判定期間の項目に設定されている期間の経過時において、前記判定処理を再度実施する。
【００８０】
ここで本実施例の管理サーバ１４０の表示装置１４６に表示される前記合算値設定画面について説明すると、該合算値設定画面には、図１０に示すように、合算値の設定対象とする遊技場を選択するための「設定対象」の項目と、当該設定対象に選択した遊技場のシステムコントローラ１００に送信される前記合算値設定情報を設定するための入力情報を入力するための「合算値」の項目と、再設定後において再度判定処理による判定を実施する期間を選択設定するための「再設定後の判定期間」の項目と、再設定後の判定において再度、剰余が０ではなかったカードユニット３の装置ＩＤをブラックリストとして抽出するか否かを選択設定するための「ブラックリスト」の項目とが設けられており、前記「合算値」の項目には、合算値設定情報を構成する遊技用価値１単位の金額と、当該１単位の金額に対応する消費税額とを選択入力するようになっており、これら１単位の金額と当該１単位の金額に対応する消費税額とが合計された金額が、「設定対象」の項目にて選択された遊技場の合算値として、遊技場情報テーブルに記憶されるようになっている。
【００８１】
以下、これら合算値設定画面の「合算値」の項目において選択入力することにより設定された前記合算値設定情報が、システムコントローラ１００を介して各カードユニット３に送信されて合算値情報が設定および記憶されるとともに、該カードユニット３に設定されている合算値情報の良否並びに遊技場全体の良否が判定される流れについて、図１３に基づいて説明する。
【００８２】
まず、管理サーバ１４０は、前記表示装置１４６に図１０に示す合算値設定画面を表示することで、「合算値」を含む各項目の設定内容の入力を受付ける。
【００８３】
そして、該合算値設定画面の「合算値」の項目において選択入力された入力情報から算出される合算値、具体的には１０５円を、「設定対象」の項目にて選択された遊技場、例えば「全遊技場」が選択されている場合には、前記遊技場情報テーブルに記憶されている全ての遊技場ＩＤに対応する合算値に記憶するとともに、該入力情報に基づいて設定した合算値設定情報、具体的には、図１０に示す合算値設定画面のように入力情報が入力されている場合であれば、１単位の金額である１００円と、当該１単位の金額に対応する消費税額である５円とから成る合算値設定情報を、「設定対象」の項目にて選択された遊技場に設置されているシステムコントローラ１００に送信する。尚、本実施例の「設定対象」の項目においては、各遊技場の遊技場ＩＤを選択することで、各遊技場毎に個別の合算値を設定できるようになっている。
【００８４】
そして、該合算値設定情報を受信したシステムコントローラ１００は、該受信した合算値設定情報を当該システムコントローラ１００に前記ローカルエリアネットワーク（ＬＡＮ）を介して接続されている各カードユニット３に送信（中継）する。
【００８５】
このシステムコントローラ１００から送信される合算値設定情報を受信したカードユニット３の制御ユニット３２８は、該受信した合算値設定情報に基づく合算値情報、具体的に本実施例では、合算値設定情報に含まれる１単位の金額である１００円と、当該１単位の金額に対応する消費税額である５円の情報を合算値情報として前記ＲＡＭ３２８ｂに設定して記憶する。
【００８６】
そして、カードユニット３において会員カードまたはビジターカードを使用した貸出処理が実施されることにより、該貸出処理に供された使用度数に相当する使用金額と、当該使用金額に相当する消費税額とが、前記ＲＡＭ３２８ｂに記憶されている合算値情報から特定される合算値に基づいて算出されとともに、該算出された使用金額と消費税額との合計金額である消費金額が、会員カードまたはビジターカードに残存する残存金額から減算更新された後、前述のように、該貸出処理に供された使用金額と消費税額と装置ＩＤと受付け中の会員カードまたはビジターカードのカードＩＤとを含む貸出完了情報がシステムコントローラ１００に送信されることで、システムコントローラ１００において、カードマスターテーブルに当該貸出完了情報に含まれるカードＩＤに対応付けて記憶されている使用金額に、当該受信した貸出完了情報に含まれる使用金額が加算更新記憶されるとともに、貸出完了情報に含まれるカードＩＤに対応付けて記憶されている消費税額に、当該受信した貸出完了情報に含まれる消費税額が加算更新記憶され、該加算更新後の消費税額と加算更新後の使用金額との合計金額である消費金額が更新されるとともに、該消費金額が残存金額から減算更新され、当該減算更新後の新たな残存金額に相当する残存度数が残存度数の項目に更新記憶されることでカードマスターテーブルが更新される。
【００８７】
さらに、該受信した貸出完了情報に含まれる装置ＩＤから貸出処理が実施されたカードユニット３が特定され、カードユニット別データテーブルに当該装置ＩＤに対応付けて記憶されているＶカード使用金額或いは会員カード使用金額と総使用金額と総消費税額とに、該貸出完了情報に含まれる使用金額や消費税額が加算更新されることで、各カードユニット３毎の総使用金額と総消費税額が集計され、これら総使用金額と総消費税額との合計である総消費金額が算出、記憶されることで、各カードユニット３における貸出処理に使用されて減算された消費金額が、各カードユニット３毎に集計される。
【００８８】
また、これら貸出処理におけるカードユニット３が対応するパチンコ機２からのパチンコ玉数の払い出しに伴って、該パチンコ機２からは、払い出されたパチンコ玉数が２５玉に達する毎に１パルスの貸出玉数信号が出力されることで、該パチンコ機２から出力された貸出玉数信号が中継端末４を介してカードユニット３の制御ユニット３２８に入力される。
【００８９】
このようにして制御ユニット３２８へ貸出玉数信号が入力された場合には、該貸出玉数信号の入力が制御ユニット３２８にて検知されて、制御ユニット３２８内に設けられているＲＡＭ３２８ｂ（図４参照）の所定アドレスに設けられている貸出玉数信号レジスタに１が加算されるとともに、該加算後の貸出玉数信号レジスタの値である貸出玉数信号数の値と装置ＩＤとを含む入力信号情報がシステムコントローラ１００に送信されることで、システムコントローラ１００は、カードユニット別データテーブルにて当該入力信号情報に含まれる装置ＩＤに対応付けられている実貸出玉数のデータを、当該入力信号情報に含まれる貸出玉数信号数から特定される貸出玉数、具体的には貸出玉数信号数に２５を乗じた値に更新することで、各カードユニット３において実際に貸し出し（貸与）されたパチンコ玉数をカードユニット３毎に集計する。
【００９０】
そして、このようにしてカードユニット別データテーブルにて集計された各カードユニット３毎の集計結果である装置ＩＤと総消費金額と実貸出玉数は、営業終了後の所定時間において、カードマスターテーブルの記憶データや当該営業日における売上等の営業情報並びに遊技場ＩＤとともに管理サーバ１４０に送信される。
【００９１】
該営業情報を受信した管理サーバ１４０では、該営業情報に含まれる集計結果である装置ＩＤと総消費金額と実貸出玉数に基づいて、遊技場別カードユニットテーブルにて集計結果とともに受信した遊技場ＩＤに対応付けられている各装置ＩＤの総消費金額と実貸出玉数の値が、当該集計結果に含まれる装置ＩＤに対応する総消費金額と実貸出玉数に更新される。
【００９２】
そして、該更新された総消費金額並びに当該遊技場の遊技場ＩＤに対応する総消費金額の合計値（総合計消費金額）を当該遊技場の遊技場ＩＤに対応して前記遊技場情報テーブルに記憶されている前記合算値にて除した剰余が算出され、該算出された剰余が遊技場別カードユニットテーブルの剰余の項目に記憶されるとともに、当該剰余が０であるか否かに基づいて、各カードユニット毎並びに遊技場全体の良否が判定され、該判定結果が判定結果の項目に記憶される。
【００９３】
また、受信した営業情報に含まれる集計結果に基づいて更新された実貸出玉数と、当該遊技場の遊技場ＩＤに対応して前記遊技場情報テーブルに記憶されている前記合算値とから、各装置ＩＤ並びに遊技場全体に対応する基準消費金額がそれぞれ算出され、該算出された基準消費金額が基準消費金額の項目にそれぞれ記憶される。
【００９４】
そして、管理サーバ１４０では、該算出された基準消費金額と総消費金額（遊技場全体の場合には総合計消費金額）との差金額が算出されて遊技場別カードユニットテーブルの差金額にそれぞれ記憶される。
【００９５】
尚、本実施例では、図９（ｂ）に示すように、総合計消費金額を合算値にて除した剰余が０ではない場合において遊技場全体の判定が不良と判定されるとともに、総合計消費金額を合算値にて除した剰余が０であっても、前記各装置ＩＤ毎（カードユニット３毎）における判定において、いずれか１つの装置ＩＤ（カードユニット３）にて不良の判定があった場合には、当該遊技場全体の良、不良の判定を不良と判定して、当該遊技場全体の判定結果を、合計に対応する判定結果の項目に記憶する。このようにすることで、該遊技場全体の判定結果により、当該遊技場にて不良と判定されたカードユニット３が存在するか否かを容易に特定できるようになっている。
【００９６】
そして、図９（ｂ）に示すように、該判定結果の項目に「不良」が記憶されている装置ＩＤを、各遊技場毎に抽出し、当該抽出した装置ＩＤと、当該遊技場の遊技場ＩＤに対応して前記遊技場情報テーブルに記憶されている合算値を特定可能な合算値情報を再設定するための合算値設定情報（つまり、１単位の金額である１００円と、当該１単位の金額に対応する消費税額である５円とから成る情報）を含む再設定情報を、遊技場ＩＤから特定される遊技場に設置されているシステムコントローラ１００に対して送信するとともに、遊技場別カードユニットテーブルにて当該「不良」に対応する次回判定日時の項目に、前記合算値設定画面の「再設定後の判定期間」の項目に設定されている期間に基づいて特定される日時が、再判定を実施する時期となる次回判定日時として記憶される。尚、「再設定後の判定期間」の項目に設定されている期間が例えば２時間であって、再設定情報を送信した時点が営業開始前である場合には、営業開始時刻である例えば１０時に２時間を加えた時間である１２時が次回判定日時として特定されて記憶され、再設定情報を送信した時点が営業中である場合には、当該時点に２時間を加えた時間が記憶され、また、２時間を加えた時間が営業終了後である場合には、営業終了後に判定が実施されることから次回判定日時の記憶は実施しない。
【００９７】
このようにして管理サーバ１４０から送信された再設定情報を受信したシステムコントローラ１００は、該受信した再設定情報に含まれる装置ＩＤから特定されるカードユニット３に対して、再設定情報に含まれる合算値設定情報を送信することで、該送信された合算値設定情報に基づく合算値情報が、前述の場合と同様にＲＡＭ３２８ｂに設定して記憶されることで、本来の合算値情報が、不良と判定されたカードユニット３に再設定される。
【００９８】
そして、前記次回判定日時の項目に記憶されている日時となった時点において、管理サーバ１４０は、当該日時に該当する日時が次回判定日時の項目に記憶されている遊技場ＩＤを全て抽出し、該抽出した遊技場のシステムコントローラ１００に対して、集計結果（装置ＩＤと総消費金額と実貸出玉数）の出力要求を送信する。
【００９９】
システムコントローラ１００は、該集計結果の出力要求の受信に基づいて、カードユニット別データテーブルに記憶されているその時点の集計結果（装置ＩＤと総消費金額と実貸出玉数）を遊技場ＩＤとともに管理サーバ１４０に送信する。
【０１００】
そして、該集計結果を受信した管理サーバ１４０は、該集計結果に含まれる各装置ＩＤに対応する総消費金額から、遊技場別カードユニットテーブルに記憶されている前回不良と判定した時点の総消費金額をそれぞれ減算し、該減算後の各総消費金額並びに総合計消費金額を合算値にて除した剰余が０であるか否かを全ての装置ＩＤ並びに遊技場全体について判定（再判定）する。
【０１０１】
そして、該判定（再判定）においても不良と判定された場合であって、前記合算値設定画面のブラックリストの項目に「する」が選択設定されている場合には、当該判定（再判定）においても不良と判定された装置ＩＤが遊技場ＩＤに対応付けて、図示しないブラックリストテーブルに記憶される。
【０１０２】
このようにして管理サーバ１４０の遊技場別カードユニットテーブルに記憶された各遊技場に設置された各カードユニット３の判定結果や、剰余や、総消費金額や、実際に貸し出されたパチンコ玉数である実貸出玉数や、基準消費金額や、差金額、次回判定日時等の情報は、管理サーバ１４０において所定の操作を実施することで、図１１に示す判定結果状況画面において表示される。
【０１０３】
本実施例の判定結果状況画面には、図１１に示すように、表示対象とする遊技場を指定するための表示対象遊技場指定の項目が設けられており、該表示対象遊技場指定の項目において表示させたい遊技場を、その遊技場の遊技場ＩＤ、例えば「Ｈ０００１」を指定すると、当該指定された遊技場ＩＤに対応して遊技場別カードユニットテーブルに記憶されている遊技用装置識別情報である各装置ＩＤと合計とが一覧表示されるとともに、遊技場別カードユニットテーブルにおいて各装置ＩＤに対応付けられている総消費金額、剰余、判定結果、実貸出玉数、基準消費金額、差金額、並びに次回判定日時の各データが、一覧表示された各装置ＩＤ並びに合計に対応付けて表示されることで、当該表示対象として指定した遊技場全体の判定結果や各カードユニット３毎の判定結果とともに、当該遊技場全体並びに該遊技場に設置されている各カードユニット毎の差金額を簡便に把握できる。更には、どのカードユニット３が不良であるかを特定できるとともに、該不良と判定されたカードユニット３の再判定が実施される時期も把握できるようになっている。
【０１０４】
また、本実施例では、図１１に示す判定結果状況画面の下部位置に、「ブラックリスト」の選択入力部が設けられており、該選択入力部を選択入力することで、前記合算値設定画面における「ブラックリスト」の項目において「する」が設定されて、前記ブラックリストテーブルに登録（記憶）が存在する場合において、図１２に示すように、該ブラックリストテーブルに登録（記憶）されている遊技場ＩＤと装置ＩＤとが一覧表示されるととともに、該一覧表示された遊技場ＩＤと装置ＩＤに対応して前記遊技場別カードユニットテーブルに記憶されている総消費金額と剰余と実貸出玉数と基準消費金額並びに差金額とが、各装置ＩＤに対応付けて表示されることで、再設定された後の再判定においても再度、剰余が０でないと判定されて、再設定以外の対策を必要とするカードユニット３とその遊技場とを簡便に把握できるとともに、当該再設定以外の対策を必要とするカードユニット３に関する情報を簡便に把握することができ、どのような不都合が生じているのか等の推定に、これら各カードユニット３に関する情報を資することもできるようになる。
【０１０５】
以上、本実施例１によれば、遊技場外の管理機関であるカード管理会社に設けられた管理サーバ１４０における合算値設定情報送信処理において送信される合算値設定情報の受信に基づいて、遊技場内に設けられた合算値情報記憶手段となるＲＡＭ３２８ｂに設定して記憶された合算値情報が、当該合算値設定情報の送信後において、何らかの不具合によって変化しているか否かを、カード管理会社に設けられた管理サーバ１４０のＣＰＵ１４２が、総消費金額並びに総合計消費金額を合算値にて除した剰余が０であるか否かを前記判定処理において判定することで簡便に判定（発見）でき、当該合算値情報の変化に迅速に対応することで、遊技客または遊技場に不利益が発生することを極力防止することができる。
【実施例２】
【０１０６】
次に、本実施例２の遊技用管理システムについて説明すると、その構成は前記実施例１の遊技用管理システムと同一とされているが、本実施例２の遊技用管理システムの特徴点は、前記実施例１の遊技用システムにおいては、管理サーバ１４０にて入力された入力情報に基づいて設定された合算値設定情報をカードユニット３に送信して合算値情報を設定して記憶し、該合算値情報に基づく消費税額を含む消費金額の残存金額からの減算更新を、カードユニット３とシステムコントローラ１００の双方において実施しているのに対し、本実施例２では、これら入力情報に基づく合算値設定情報をシステムコントローラ１００はカードユニット３に送信せずに、システムコントローラ１００が当該受信した合算値設定情報に基づく合算値情報を設定して記憶しておき、該合算値情報に基づく消費税額を含む消費金額の残存金額からの減算更新を、システムコントローラ１００側においてのみ実施するようにしている点が大きな特徴であり、その他の構成は、前記実施例１と同一であることから説明を省略し、これら合算値設定情報が、システムコントローラ１００に送信されて合算値情報が設定して記憶されるとともに、該システムコントローラ１００に設定して記憶されている合算値情報の良否が判定される流れについて以下に説明する。
【０１０７】
尚、本実施例２のシステムコントローラ１００のＣＰＵ１０２は、前記管理サーバ１４０から合算値設定情報の送信があった場合に、図１５に示すように、当該合算値設定情報を受信して、該合算値設定情報に基づく合算値情報、具体的には、前記実施例１と同様に合算値設定情報に含まれる１単位の金額である１００円と、当該１単位の金額に対応する消費税額である５円の情報を合算値情報として、記憶装置１０５内の所定領域に記憶されている合算値情報を更新記憶することで新たな合算値情報を設定して記憶する合算値情報更新記憶処理を実施し、該記憶装置１０５によって本発明の合算値情報記憶手段が形成されている。
【０１０８】
まず、本実施例２のカードユニット３とシステムコントローラ１００との間において、会員カードまたはビジターカードの受付けに伴って実施される各種のデータの授受の状況について、図１４に基づいて簡潔に説明する。尚、会員管理コンピュータ１２０との各種のデータの授受の状況は、実施例１と同一のため説明を省略する。
【０１０９】
カードユニット３のカード挿入口３０９へ会員カードまたはビジターカードが挿入された場合には、前記実施例１の場合と同様に、カードリーダライタ３２７からシステムコントローラ１００に対して、受付けた会員カードまたはビジターカードから読み出したカードＩＤと残存金額と、当該カードユニット３の装置ＩＤとを含む使用許諾要求が送信されることに基づいて、システムコントローラ１００において残存金額の照合や使用不可フラグの登録の有無に基づく認証が実施され、認証がＯＫであれば使用許諾がカードユニット３（カードリーダライタ３２７）に返信されることで、残存金額に対応する度数が表示部３１２並びにパチンコ機２に設けられた度数表示部１７に表示されることで、当該受付けた会員カードまたはビジターカードが使用可能とされる。
【０１１０】
そして、遊技者が前記貸出ボタン１６を押圧操作した場合においては、前述した実施例１における貸出処理が実施されることで、貸出単位として設定されている度数の大きさに相当する玉数の貸し出し（貸与）が対応するパチンコ機２から実施される。
【０１１１】
そして制御ユニット３２８は、該貸出単位として設定されている度数（使用度数）をカードリーダライタ３２７に出力することで、カードＩＤと装置ＩＤと使用度数とを含む貸出完了情報がシステムコントローラ１００に対して送信されることに基づいて、システムコントローラ１００のＣＰＵ１０２は、当該受信した貸出完了情報に含まれるカードＩＤから当該貸出処理に使用された会員カードまたはビジターカードを特定し、該カードＩＤに対応付けてカードマスターテーブルに記憶されている使用金額に、当該受信した貸出完了情報に含まれる使用度数に相当する使用金額を加算するとともに、当該加算した使用金額に相当する消費税額を前記記憶装置１０５に記憶している合算値情報から特定される合算値に基づいて算出して消費税額に加算更新記憶し、該消費税額と使用金額との合計金額である消費金額を更新するとともに、該使用金額を残存金額から減算更新するとともに、当該減算更新後の新たな残存金額に相当する残存度数を残存度数の項目に更新記憶するカードマスターテーブル更新処理を実施する。つまり、このようにすることで、該合算値情報記憶手段となる記憶装置１０５に記憶された合算値情報に基づいて、前記遊技媒体貸与処理となる貸出処理に供された利用額となる使用金額と当該使用金額に対応する消費税額との合計額である消費金額が、会員カードまたはビジターカードに記憶された遊技用価値情報であるカードＩＤから特定される遊技用価値の大きさである残存金額から減算更新され、該カードマスターテーブル更新処理によって本発明における遊技用価値減算更新手段が形成されている。
【０１１２】
さらに、システムコントローラ１００のＣＰＵ１０２は、受信した貸出完了情報に含まれる装置ＩＤに対応してカードユニット別データテーブルに記憶されている会員カード使用金額またはＶ（ビジター）カード使用金額並びに総使用金額とに、受信した貸出完了情報に含まれる使用度数に対応する使用金額を加算更新するとともに、該加算更新した使用金額に相当する消費税額を記憶装置１０５に記憶している合算値情報から特定される合算値に基づいて算出し、該算出した消費税額を、受信した貸出完了情報に含まれる装置ＩＤに対応してカードユニット別データテーブルに記憶されている総消費税額に加算更新し、
これら加算更新後の総使用金額と総消費税額との合計である総消費金額を算出、記憶することで、各カードユニット３における貸出処理に使用されて減算された消費金額を、各カードユニット３毎に集計する消費金額集計処理を実施し、該消費金額集計処理によって本発明における消費金額集計手段が形成されている。
【０１１３】
そして、前記カードマスターテーブル更新処理によって減算更新された新たな残存金額がカードリーダライタ３２７に返信されて残存金額が更新されるとともに、該新たな残存金額が制御ユニット３２８に出力されて、該残存金額に対応する度数に表示部３１２並びに度数表示部１７の表示が更新される。
【０１１４】
これら遊技によって前記残存金額が１単位の消費金額である１０５円未満になった場合、つまりは利用可能な度数が０度数になった場合に、本実施例２のカードユニット３においても、前記紙幣挿入口３０２、硬貨投入口３０３より紙幣或いは硬貨を投入して、該挿入中の会員カードまたはビジターカードに対して追加入金を実施できるようになっている。
【０１１５】
具体的には、前記紙幣挿入口３０２、硬貨投入口３０３より紙幣或いは硬貨を投入することで、紙幣識別ユニット３２１または硬貨識別ユニット３２２から制御ユニット３２８に識別結果情報（金種と真贋の情報）が出力されることで、制御ユニット３２８にて貨幣の投入有りと判断されるとともに、当該投入貨幣の金額が特定され、該特定された金額である入金金額が制御ユニット３２８からカードリーダライタ３２７に出力されることで、該入金金額とカードＩＤと装置ＩＤとを含む入金要求がシステムコントローラ１００に送信される。
【０１１６】
そして、該入金要求の受信に基づいてシステムコントローラ１００においては、当該受信した入金要求に含まれるカードＩＤに対応付けてカードマスターテーブルに記憶されている残存金額を繰り越し金額に更新記憶するとともに、入金要求に含まれる装置ＩＤを処理装置の項目に、入金要求に含まれる入金金額を入金金額の項目にそれぞれ記憶し、残存金額に入金金額と繰り越し金額との合計金額を更新記憶した後、使用金額、消費税額、消費金額をリセットしてカードマスターテーブルを更新するとともに、該更新記憶した新たな残存金額を含む入金完了情報をカードリーダライタ３２７に返信することで、該返信されてきた新たな残存金額が会員カードまたはビジターカードに書き込まれるとともに、制御ユニット３２８に出力されることで、該新たな残存金額に相当する度数が表示部３１２並びに度数表示部１７に表示されて再度貸出処理が可能とされる。
【０１１７】
以下、本実施例２の遊技用管理システムにおいて合算値設定情報がシステムコントローラ１００に送信されて合算値情報が設定して記憶されるとともに、該システムコントローラ１００に設定して記憶されている合算値情報の良否が判定される流れについて、図１５に基づいて説明する。
【０１１８】
まず、管理サーバ１４０は、前述の実施例１と同様に、前記表示装置１４６に図１０に示す合算値設定画面を表示することで、「合算値」を含む各項目の設定内容の入力を受付け、該受付けた入力情報に基づいて設定した合算値設定情報、具体的には、前記実施例１の場合と同様に、１単位の金額である１００円と、当該１単位の金額に対応する消費税額である５円とから成る合算値設定情報をシステムコントローラ１００に送信することで、該合算値設定情報の受信に基づきシステムコントローラ１００において、該受信した該合算値設定情報に基づく合算値情報（実施例１と同様に、１単位の金額である１００円と、当該１単位の金額に対応する消費税額である５円とから成る情報）が、前記したように記憶装置１０５の所定領域に更新記憶されて設定される。
【０１１９】
そして、カードユニット３において会員カードまたはビジターカードを使用した貸出処理が実施されることにより、前述のように、貸出処理に供された使用度数と装置ＩＤと受付け中の会員カードまたはビジターカードのカードＩＤとを含む貸出完了情報がシステムコントローラ１００に送信されることで、システムコントローラ１００において、カードマスターテーブルに当該貸出完了情報に含まれるカードＩＤに対応付けて記憶されている使用金額や消費税額、並びに消費金額や残存金額が更新され、会員カードまたはビジターカードに記録された遊技用価値情報であるカードＩＤから特定される遊技用価値の大きさとなる残存金額から、カードユニット３にて貸出処理に使用された消費金額が減算更新される。
【０１２０】
そして、該受信した貸出完了情報に含まれる装置ＩＤから貸出処理が実施されたカードユニット３が特定され、前述のようにカードユニット別データテーブルが更新されることで各カードユニット３毎の総消費金額が集計されるとともに、前記実施例１の場合と同様に、カードユニット３における貸出処理にて対応するパチンコ機から実際に貸し出された（貸与された）実貸出玉数が、カードユニット３から送信される貸出玉数信号数の値と装置ＩＤとを含む入力信号情報に基づいて更新されることにより、各カードユニット３毎に集計される。
【０１２１】
そして、このようにしてカードユニット別データテーブルにて集計された各カードユニット３毎の集計結果である装置ＩＤと総消費金額と実貸出玉数は、営業終了後の所定時間において、カードマスターテーブルの記憶データや当該営業日における売上等の営業情報並びに遊技場ＩＤとともに管理サーバ１４０に送信され、管理サーバ１４０において、該営業情報に含まれる集計結果である装置ＩＤと総消費金額と実貸出玉数に基づいて、遊技場別カードユニットテーブルにて集計結果とともに受信した遊技場ＩＤに対応付けられている各装置ＩＤの総消費金額と実貸出玉数の値が、当該集計結果に含まれる装置ＩＤに対応する総消費金額と実貸出玉数に更新される。
【０１２２】
そして、該更新された総消費金額並びに当該遊技場の遊技場ＩＤに対応する総消費金額の合計値（総合計消費金額）を当該遊技場の遊技場ＩＤに対応して前記遊技場情報テーブルに記憶されている前記合算値にて除した剰余が算出され、該算出された剰余が遊技場別カードユニットテーブルの剰余の項目に記憶されるとともに、当該剰余が０であるか否かに基づいて、各カードユニット毎並びに遊技場全体の良否が判定され、該判定結果が判定結果の項目に記憶されるとともに、受信した営業情報に含まれる集計結果に基づいて更新された実貸出玉数と、当該遊技場の遊技場ＩＤに対応して前記遊技場情報テーブルに記憶されている前記合算値とから、各装置ＩＤ並びに遊技場全体に対応する基準消費金額がそれぞれ算出され、該算出された基準消費金額が基準消費金額の項目にそれぞれ記憶され、これら記憶された基準消費金額と総消費金額（遊技場全体の場合には総合計消費金額）との差金額が算出されて遊技場別カードユニットテーブルの差金額にそれぞれ記憶される。
【０１２３】
尚、本実施例２でも、総合計消費金額を合算値にて除した剰余が０ではない場合において遊技場全体の判定が不良と判定されるとともに、総合計消費金額を合算値にて除した剰余が０であっても、前記各装置ＩＤ毎（カードユニット３毎）における判定において、いずれか１つの装置ＩＤ（カードユニット３）にて不良の判定があった場合には、当該遊技場全体の良、不良の判定を不良と判定して、当該遊技場全体の判定結果を、合計に対応する判定結果の項目に記憶する。
【０１２４】
そして、このようにして遊技場別カードユニットテーブルの合計に対応する判定結果の項目に「不良」が記憶されている遊技場ＩＤが、管理サーバ１４０において全て抽出され、該抽出された各遊技場ＩＤに対応して前記遊技場情報テーブルに記憶されている合算値を特定可能な合算値情報を再設定するための合算値設定情報が、遊技場ＩＤから特定される遊技場に設置されているシステムコントローラ１００に対して送信されることによって、該送信された合算値設定情報に基づく合算値情報が、システムコントローラ１００において、前述の合算値情報の更新記憶と同様に更新記憶されて再設定されるとともに、遊技場別カードユニットテーブルにて当該「不良」に対応する次回判定日時の項目に、前記合算値設定画面の「再設定後の判定期間」の項目に設定されている期間に基づいて特定される日時が、再判定を実施する時期となる次回判定日時として記憶される。
【０１２５】
そして、前記次回判定日時の項目に記憶されている日時となった時点において、管理サーバ１４０は、当該日時に該当する日時が次回判定日時の項目に記憶されている遊技場ＩＤを全て抽出し、該抽出した遊技場のシステムコントローラ１００に対して、集計結果（装置ＩＤと総消費金額と実貸出玉数）の出力要求を送信する。
【０１２６】
システムコントローラ１００は、該集計結果の出力要求の受信に基づいて、カードユニット別データテーブルに記憶されているその時点の集計結果（装置ＩＤと総消費金額と実貸出玉数）を遊技場ＩＤとともに管理サーバ１４０に送信する。
【０１２７】
そして、該集計結果を受信した管理サーバ１４０は、該集計結果に含まれる各装置ＩＤに対応する総消費金額から、遊技場別カードユニットテーブルに記憶されている前回不良と判定した時点の総消費金額をそれぞれ減算し、該減算後の各総消費金額並びに総合計消費金額を合算値にて除した剰余が０であるか否かを全ての装置ＩＤ並びに遊技場全体について判定（再判定）する。
【０１２８】
そして、該判定（再判定）においても不良と判定された場合であって、前記合算値設定画面のブラックリストの項目に「する」が選択設定されている場合には、当該判定（再判定）においても不良と判定された装置ＩＤが、遊技場ＩＤに対応付けて、図示しないブラックリストテーブルに記憶されることで、前述の実施例１と同様に、判定結果の状況を示す判定結果状況画面やラックリスト画面が、管理サーバ１４０にて表示可能とされている。
【０１２９】
以上、本実施例２によれば、遊技場外の管理機関であるカード管理会社に設けられた管理サーバ１４０における合算値設定情報送信処理において送信される合算値設定情報の受信に基づいて、遊技場内に設けられた合算値情報記憶手段となる記憶装置１０５に設定および記憶された合算値情報が、当該合算値設定情報の送信後において、何らかの不具合によって変化しているか否かを、カード管理会社に設けられた管理サーバ１４０のＣＰＵ１４２が、総消費金額並びに総合計消費金額を合算値にて除した剰余が０であるか否かを前記判定処理において判定することで簡便に判定（発見）でき、当該合算値情報の変化に迅速に対応することで、遊技客または遊技場に不利益が発生することを極力防止することができる。
【０１３０】
また、前記各実施例によれば、各カードユニット３毎に判定が実施され、該判定結果が剰余が０でないとの判定結果であった遊技用装置識別情報である装置ＩＤが、図１１の判定結果状況画面にて出力されることで、合算値情報記憶手段となるカードユニット３のＲＡＭ３２８ｂ或いは記憶装置１０５に記憶されている合算値情報が、正規の合算値情報から変化しているカードユニット３を簡便に特定できるようになり、より迅速に対応できる。
【０１３１】
また、前記各実施例によれば、図１１の判定結果状況画面に示すように、各カードユニット３毎並びに遊技場全体となる合計の差金額が表示出力されることで、総消費金額（総総計消費金額）と基準消費金額との差がどれくらいであるのかを簡便に把握できる。
【０１３２】
また、前記各実施例によれば、前記判定において剰余が０ではないと判定されたことに基づいて、合算値設定情報、または該合算値設定情報を含む再設定情報が送信されて、合算値情報記憶手段となるカードユニット３のＲＡＭ３２８ｂやシステムコントローラ１００の記憶装置１０５に、本来（正規）の合算値情報が再設定されるようになるため、本来の合算値情報から変化している合算値情報の修復を、簡便かつ確実に実施することができる。
【０１３３】
また、前記各実施例によれば、合算値設定情報、または該合算値設定情報を含む再設定情報を送信した後の所定期間後において再度判定を実施することで、合算値設定情報の再度の送信による合算値情報の再設定により不具合が解消されているか否かを確認でき、再設定しても不具合が解消されない場合には、再設定以外の別の対策を取ることができる。
【０１３４】
以上、本発明の実施例を図面により説明してきたが、具体的な構成はこれら実施例に限られるものではなく、本発明の要旨を逸脱しない範囲における変更や追加があっても本発明に含まれる。
【０１３５】
例えば、前記実施例２では、実施例１と同様に各カードユニット３毎の総消費金額に基づいて、管理サーバ１４０が各カードユニット毎に剰余に基づく判定を実施するようにしているが、本発明はこれに限定されるものではなく、前記実施例２のように、システムコントローラ１００に合算値情報が記憶、設定される場合においては、個々のカードユニット３毎の判定を実施せずに、システムコントローラ１００から遊技場全体の総消費金額（総総計消費金額）を入手して、該総消費金額（総総計消費金額）を合算値にて除した剰余に基づいて遊技場全体のみの判定を実施するようにしても良い。
【０１３６】
また、前記実施例１では、貸出処理に使用された消費金額の残存金額からの減算更新を、カードユニット３とシステムコントローラ１００の双方にて実施するようにしているが、本発明はこれに限定されるものではなく、これら消費金額の減算更新を、前記合算値情報が記憶、設定されたカードユニット３側のみにおいて実施するようにしても良い。
【０１３７】
また、前記実施例では、カードユニット３において使用可能な遊技用記録媒体として、プリペイド機能を有する会員カードと、プリペイドカードであるビジターカードの双方を使用できるようにしているが、本発明はこれに限定されるものではなく、これらのいずれか一方のみを使用できるものであっても良い。
【０１３８】
また、前記実施例では、カードユニット３において使用可能な遊技用記録媒体として、プリペイド機能を有する会員カードと、プリペイドカードであるビジターカードを使用しているが、本発明はこれに限定されるものではなく、例えばビジターカードをカードユニット３に内封された構成としても良く、この場合には、ビジターカードをカードユニット３から取り出すことが不可とされることから、該内封されたビジターカードに残存する残存金額を精算装置２２にて精算することが困難となるため、これらビジターカードに残存する残存金額が１単位の消費金額未満となった場合に、自動的に当該１単位未満の金額に相当する玉数を、例えば、対応するパチンコ機２へのパチンコ玉の貸出指示形態として、貸出玉数１玉に対して１パルスを出力する形態とすることにより、対応するパチンコ機から払い出させるようにしても良い。
【０１３９】
また、前記実施例では、会員カード並びにビジターカードに、遊技用価値の大きさを特定可能な遊技用価値情報となるカードＩＤとともに残存金額自体を記憶するようにしているが、本発明はこれに限定されるものではなく、例えば、残存金額のみを会員カード並びにビジターカードに記憶しておき、カードユニット３側にて消費金額の減算更新を実施することで、システムコントローラ１００を有しないシステム構成としても良いし、逆に、カードＩＤのみを会員カード並びにビジターカードに記憶しておき、システムコントローラ１００側において、各カードＩＤに対応付けて残存金額を全て記憶、管理するとともに、消費金額の減算更新を実施するようにしても良い。
【０１４０】
また、前記実施例では、パチンコ玉の払い出しを対応するパチンコ機２から実施しているが、本発明はこれに限定されるものではなく、これらパチンコ玉の払い出しを、カードユニットからパチンコ機へ払い出すようにしても良く、この場合には、当該カードユニットに供給されて当該カードユニットから実際に貸し出されるパチンコ玉の数を計数し、該計数したパチンコ玉数の情報をシステムコントローラ１００が、直接、或いはホールコンピュータや中継端末や呼び出しランプ等を介して収集するようにすれば良い。
【０１４１】
また、前記各実施例では、遊技用装置であるカードユニット３が、再プレイ処理や追加入金処理を実施するようにしているが、本発明はこれに限定されるものではなく、これらのいずれか１つの処理機能を有するものであっても良いし、更には、これらのいずれの処理機能を有しないものであっても良い。
【０１４２】
また、前記実施例では、貸与遊技媒体数情報となる入力信号情報を、各カードユニット３からシステムコントローラ１００が受信して収集するようにしているが、本発明はこれに限定されるものではなく、これら各カードユニット３や遊技場全体の実貸出玉数の情報を、遊技場に設置されているホールコンピュータから収集するようにしても良いし、或いは、カードユニット３以外の例えば呼び出しランプ等や前記中継端末４からシステムコントローラ１００が直接収集するようにしても良い。
【０１４３】
また、前記実施例では、パチンコ機から出力されてきた貸出玉数信号の信号数をカードユニット３において貸出玉数信号レジスタに蓄積記憶しておき、該貸出玉数信号数の値を入力信号情報として送信することで、システムコントローラ１００側において貸出玉数信号数の値に２５を乗算した値をカードユニット別データテーブルの実貸出玉数のデータとして更新記憶するようにしているが、本発明はこれに限定されるものではなく、パチンコ機から貸出玉数信号の信号出力があった場合に、当該信号出力があった旨をシステムコントローラ１００に通知することで、システムコントローラ１００側においてカードユニット別データテーブルの実貸出玉数の値に所定値、例えば２５を加算するようにしても良い。
【０１４４】
また、前記実施例では、パチンコ機２から出力される貸出玉数信号が中継端末４を介してカードユニット３に入力され、該カードユニット３から当該貸出玉数信号の入力状況を特定可能な入力信号情報がシステムコントローラ１００に送信されて、システムコントローラ１００においてパチンコ機２から払い出された実貸出玉数を把握できるようにしているが、本発明はこれに限定されるものではなく、これらパチンコ機２から出力される貸出玉数信号を直接システムコントローラ１００に入力するようにしても良い。
【０１４５】
また、前記各実施例においては、各装置ＩＤ毎（カードユニット３毎）における判定とともに、遊技場全体の判定を、当該遊技場内のいずれか１つのカードユニット３（装置ＩＤ）が不良と判定されることに基づいて不良と判定することで実施するようにしているが、本発明はこれに限定されるものではなく、これら各装置ＩＤ毎（カードユニット３毎）における判定を実施せずに遊技場全体の良、不良の判定のみを、例えば実施例１であれば、遊技場別カードユニットテーブルにおいて算出される各遊技場毎の総合計消費金額と合算値とに基づいて剰余を算出し、該算出した剰余が０であるか否かに基づいて良／不良の判定を実施するようにしても良い。
【０１４６】
また、前記各実施例においては、貸出処理に供された使用度数に相当する使用金額と、当該使用金額に相当する消費税額との合計金額である消費金額の減算更新を、パチンコ玉数を貸与した後において実施するようにしているが、本発明はこれに限定されるものではなく、これら消費金額の減算更新をパチンコ玉の貸与前に実施するようにしても良い。
【０１４７】
また、前記各実施例においては、合算値設定画面において、１単位金額と、当該１単位金額に相当する消費税額とを入力情報として個別に入力するようにしているが、本発明はこれに限定されるものではなく、これら合算値設定情報を設定するために入力される入力情報の入力形態としては、１単位金額と当該１単位金額に相当する消費税額と合計額である合算値自体を単独にて入力したり（例えば、１単位が１００円で消費税率が５％であれば１０５円を入力する）、或いは、予め１単位金額がカードユニット３やシステムコントローラ１００に設定されている場合においては、これら１単位金額に対応する消費税額である５円のみを入力する形態としたり、或いは５％等の消費税率のみを入力する形態としても良い。
【０１４８】
また、前記各実施例では、合算値設定情報と合算値情報の内容とを、１単位金額である１００円と、当該１単位金額に相当する消費税額である５円とを含む同一の情報としているが、本発明はこれに限定されるものではなく、これら合算値設定情報と合算値情報の内容とが異なるもの、例えば、合算値設定情報が前記実施例のように１単位金額である１００円と当該１単位金額に相当する消費税額である５円とを含む情報である場合に、合算値情報をその合計額である合算値自身となる１０５円としても良いし、或いは、予め１単位金額がカードユニット３やシステムコントローラ１００に設定されている場合においては、これら１単位金額に対応する消費税額である５円であったり或いは５％等の消費税率とした形態としても良い。
【０１４９】
また、前記各実施例では、合算値設定情報の形態を、図１０に示す合算値設定画面において入力された入力情報と同一の形態、すなわち、１単位金額である１００円と、当該１単位金額に相当する消費税額である５円とを含む情報としているが、本発明はこれに限定されるものではなく、これら合算値設定情報は、前記入力情報と同一形態である必要はなく、合算値情報を設定および記憶できるための情報であれば任意の形態とすることができ、例えば、、合算値設定情報を１単位金額である１００円と消費税額である５円との合計額である合算値自身となる１０５円としても良いし、或いは、予め１単位金額がカードユニット３やシステムコントローラ１００に設定されている場合においては、これら１単位金額に対応する消費税額である５円であったり或いは５％等の消費税率とした形態としても良い。
【０１５０】
前記実施例における各要素は、本発明に対して以下のように対応している。
本発明の請求項１は、遊技場内に、遊技媒体（パチンコ玉）の貸与に使用される遊技用価値（残存金額）の大きさを特定可能な遊技用価値情報（カードＩＤ、残存金額）が記録された遊技用記録媒体（会員カード、ビジターカード）の該遊技用価値情報から特定される遊技用価値の大きさの範囲内の所定の大きさの遊技用価値に相当する数の遊技媒体を、１単位の遊技用価値に対応する数の遊技媒体を貸与するための処理を繰り返すことにより貸与する遊技媒体貸与処理（貸与処理）を行う遊技媒体貸与処理手段（制御ユニット３２８；貸与処理）と、前記１単位の遊技用価値に相当する金額と、該１単位の遊技用価値に相当する金額に対応する消費税額との合算値を特定可能な合算値情報の設定および記憶を行うための合算値情報記憶手段（ＲＡＭ３２８ｂ、記憶装置１０５）と、該合算値情報記憶手段に記憶された合算値情報に基づいて、前記遊技媒体貸与処理に供される所定の大きさの遊技用価値に相当する利用額（使用金額）と当該利用額に対応する消費税額との合計額である消費金額に相当する遊技用価値の大きさ（消費金額）を、前記遊技用価値情報から特定される遊技用価値の大きさ（残存金額）から減算更新する遊技用価値減算更新手段（制御ユニット３２８、ＣＰＵ１０２；残存金額減算更新処理）と、該遊技用価値減算更新手段にて減算された消費金額を集計する消費金額集計手段（ＣＰＵ１０２；消費金額集計処理）と、該消費金額集計手段にて集計された集計消費金額（総消費金額）を送信する集計消費金額送信手段（ＣＰＵ１０２；営業情報送信処理、ＤＳＵ１１１）と、を遊技場内に備えるとともに、前記遊技用記録媒体に関する情報を管理する遊技場外の管理機関に、前記合算値情報記憶手段が前記合算値情報を設定するための合算値設定情報を設定する設定手段（ＣＰＵ１４２；合算値設定処理）と、該設定手段にて設定された合算値設定情報を前記合算値情報記憶手段に送信するための合算値設定情報送信手段（ＣＰＵ１４２；合算値設定情報送信処理、ＤＳＵ１４８）と、前記合算値設定情報に基づいて、前記集計消費金額送信手段から送信される集計消費金額を前記合算値により除することによる剰余を算出する剰余算出手段（ＣＰＵ１４２；剰余算出処理）と、該剰余算出手段による剰余が０であるか否かを判定する判定手段（ＣＰＵ１４２；判定処理）と、該判定手段による判定結果を出力する出力手段（ＣＰＵ１４２；出力処理、表示装置１４６）と、を備える。
【０１５１】
本発明の請求項２は、遊技場内に設置される各遊技機（パチンコ機２）に対応して設けられ、前記遊技媒体貸与処理手段（制御ユニット３２８；貸与処理）と、前記合算値情報記憶手段（ＲＡＭ３２８ｂ）と、遊技用価値減算更新手段（制御ユニット３２８；残存金額減算更新処理）とを備える遊技用装置（カードユニット３）を有し、前記消費金額集計手段（ＣＰＵ１０２；消費金額集計処理）は各遊技用装置毎に消費金額を集計し、前記集計消費金額送信手段（ＣＰＵ１０２；営業情報送信処理、ＤＳＵ１１１）は、該遊技用装置毎に集計された集計消費金額を送信し、前記剰余算出手段（ＣＰＵ１４２；剰余算出処理）は、該集計消費金額送信手段から送信される各遊技用装置毎の集計消費金額（総消費金額）に基づいて各遊技用装置毎に剰余を算出し、前記判定手段（ＣＰＵ１４２；判定処理）は、各遊技用装置毎に剰余が０であるか否かを判定し、前記出力手段（ＣＰＵ１４２；出力処理、表示装置１４６）は、該判定手段による各遊技用装置毎の判定結果を出力する。
【０１５２】
本発明の請求項３は、遊技場内に設けられ、前記遊技媒体貸与処理（制御ユニット３２８；貸与処理）にて実際に遊技者に貸与された遊技媒体数（実貸与玉数）を特定可能な貸与遊技媒体数情報（入力信号情報）を収集するための貸与遊技媒体数情報収集手段（ＣＰＵ１０２；収集処理）と、該貸与遊技媒体数情報収集手段にて収集した実際に遊技者に貸与された遊技媒体数である総貸与遊技媒体数（実貸与玉数）を集計する遊技媒体数集計手段（ＣＰＵ１０２；集計処理）と、該遊技媒体数集計手段にて集計された総貸与遊技媒体数を送信する総貸与遊技媒体数送信手段（ＣＰＵ１０２；営業情報送信処理）と、を備えるとともに、遊技場外の前記管理機関（カード管理会社）に設けられ、前記総貸与遊技媒体数送信手段から送信される総貸与遊技媒体数と前記合算値とに基づいて、総貸与遊技媒体数の貸与に使用されるべき基準消費金額を算出する基準消費金額算出手段（ＣＰＵ１４２；基準消費金額算出処理）と、該基準消費金額算出手段にて算出された基準消費金額と前記集計消費金額送信手段（ＣＰＵ１０２；営業情報送信処理、ＤＳＵ１１１）から送信された集計消費金額（総消費金額）との差を算出する差金額算出手段（ＣＰＵ１４２；差金額算出処理）と、該差金額算出手段にて算出された前記基準消費金額と前記集計消費金額との差を出力する差金額出力手段（ＣＰＵ１４２；出力処理、表示装置１４６）と、を備える。
【０１５３】
本発明の請求項４は、遊技場外の前記管理機関（カード管理会社）に設けられ、前記判定手段（ＣＰＵ１４２；判定処理）により剰余が０でないと判定されたときに、前記前記設定手段（ＣＰＵ１４２；合算値設定処理）にて設定された合算値設定情報を再度、前記合算値情報記憶手段（ＲＡＭ３２８ｂ、記憶装置１０５）に送信する合算値設定情報再送信手段（ＣＰＵ１４２；再設定情報送信処理，ＤＳＵ１４８）を備える。
【０１５４】
本発明の請求項５は、前記合算値設定情報再送信手段（ＣＰＵ１４２；再設定情報送信処理，ＤＳＵ１４８）による合算値設定情報（再設定情報、合算値設定情報）の送信後、予め定められた時期に再度判定を実施する。
【図面の簡単な説明】
【０１５５】
【図１】本発明の実施例１における遊技用管理システムの構成を示す図である。
【図２】本発明の実施例１において用いたパチンコ機並びにカードユニットの正面図である。
【図３】本発明の実施例１におけるパチンコ機に設けられた操作部を示す上面図である。
【図４】本発明の実施例１におけるカードユニットの構成を示すブロック図である。
【図５】本発明の実施例１に用いたシステムコントローラの構成を示すブロック図である。
【図６】（ａ）は、本発明１の実施例に用いたカードマスターテーブルを示す図であり、（ｂ）は、本発明の実施例１に用いたカードユニット別データテーブルを示す図である。
【図７】本発明の実施例１に用いた遊技用管理システムを構成するカードユニットと会員管理コンピュータとシステムコントローラとの間における各種情報のやりとりを示す図である。
【図８】本発明の実施例１に用いた管理サーバの構成を示すブロック図である。
【図９】（ａ）は、本発明の実施例１に用いた遊技場情報テーブルを示す図であり、（ｂ）は、本発明の実施例１に用いた遊技場別カードユニットテーブルを示す図である。
【図１０】本発明の実施例１に用いた管理サーバの表示装置に表示される合算値設定画面を示す図である。
【図１１】本発明の実施例１に用いた管理サーバの表示装置に表示される判定結果状況画面を示す図である。
【図１２】本発明の実施例１に用いた管理サーバの表示装置に表示されるブラックリスト画面を示す図である。
【図１３】本発明の実施例１に用いた遊技用管理システムを構成するカードユニットとシステムコントローラと管理サーバとの間における各種情報のやりとりを示す図である。
【図１４】本発明の実施例２に用いた遊技用管理システムを構成するカードユニットと会員管理コンピュータとシステムコントローラとの間における各種情報のやりとりを示す図である。
【図１５】本発明の実施例２に用いた管理サーバの表示装置に表示される判定結果状況画面を示す図である。
【符号の説明】
【０１５６】
２          パチンコ機
３          カードユニット
１１        通信回線
１００      システムコントローラ
１０２      ＣＰＵ
１４０      管理サーバ
１４２      ＣＰＵ
１４６      表示装置
３２７      カードリーダライタ
３２８      制御ユニット
３２８ｂ    ＲＡＭ
３３４      通信部
【図１】
2005198845.tif 000003
【図２】
2005198845.tif 000004
【図３】
2005198845.tif 000005
【図４】
2005198845.tif 000006
【図５】
2005198845.tif 000007
【図６】
2005198845.tif 000008
【図７】
2005198845.tif 000009
【図８】
2005198845.tif 000010
【図９】
2005198845.tif 000011
【図１０】
2005198845.tif 000012
【図１１】
2005198845.tif 000013
【図１２】
2005198845.tif 000014
【図１３】
2005198845.tif 000015
【図１４】
2005198845.tif 000016
【図１５】
2005198845.tif 000017